(57)【特許請求の範囲】
【請求項１】
装置本体１０、前記装置本体１０に設置される識別記憶装置、前記装置本体１０に設置される整理装置、前記装置本体１０に設置される運送装置及び前記装置本体１０の左右両側に設置される固定装置を含み、
前記整理装置が前記装置本体１０の右端に設置される口が右向く作業空間１１を含み、前記作業空間１１の下側の内壁の左側に口が上向く第一凹形溝１２が設置され、前記第一凹形溝１２の下側の内壁に第一電動機１３が固定に設置され、前記第一電動機１３の上端に前記第一凹形溝１２に挿入する第一回転軸１４が動力で係合し接続され、前記第一凹形溝１２に上下にスライドできる第一スライドブロック１５が設置され、前記第一スライドブロック１５の下端に口が下向く第二凹形溝１６が設置され、前記第一スライドブロック１５の下端にねじ山ブロック１７が固定され、前記ねじ山ブロック１７に上下に貫いて前記第二凹形溝１６と整列する第一通り穴１８が設置され、前記第二凹形溝１６と前記第一通り穴１８の内壁と前記第一回転軸１４が螺合し接続され、前記第一凹形溝１２の開口に左右対称で固定ブロック１９が固定され、前記固定ブロック１９に第二通り穴２０が上下に貫いて設置され、前記第二通り穴２０の左右側の内壁に対称で開口が相対し且つ前記第一凹形溝１２と対合するガイドスライド溝２１が設置され、前記第一スライドブロック１５の上端には前記第二通り穴２０に上下にスライドできる消毒クリーン箱２２が固定され、前記消毒クリーン箱２２の下側の内壁の右側が前記第一スライドブロック１５の排出孔３０を上下に貫き出し、前記排出孔３０に電気制御絞り弁８５が固定に設置され、前記第一凹形溝１２の右側の内壁に口が左向く第三凹形溝２３が設置され、前記第三凹形溝２３の下側の内壁に口が上向く第四凹形溝２４が設置され、前記第三凹形溝２３に左右にスライドでき且つ左端が前記第一スライドブロック１５の下端と対合する第二スライドブロック２５が設置され、前記第三凹形溝２３の上下側の内壁に口が相対する第一リセット溝２６が対称で設置され、前記第二スライドブロック２５の上下端に前記第一リセット溝２６に挿入するリセット装置２７が固定され、前記第四溝２４に上下にスライドでき且つ上端が前記第三凹形溝２３に挿入し且つ前記第二スライドブロック２５の右端と対合する第三スライドブロック２８が設置され、前記第四凹形溝２４の左右側の内壁に口が相対する第二リセット溝２９が対称で設置され、前記第三スライドブロック２８の左右端に対称で前記第二リセット溝２９に挿入するリセット装置２７が固定され、前記第一凹形溝１２の下側に前記排出孔３０と整列する導管ブロック３１が固定され、前記導管ブロック３１の下側の内壁に右端が前記第四凹形溝２４を連通する運送導管３２が連通し設置され、前記第三スライドブロック２８に左右に貫通し且つ前記運送導管３２と整列して連通できる第二通り穴３３と第三通り穴３４が上下対称で設置され、前記第四凹形溝２４の右側の内壁に口が左向くゴム管溝３５が設置され、前記第二通り穴３３の右端に前記ゴム管溝３５に挿入する第一ゴム管３６が固定され、前記第一ゴム管３６の下端が前記ゴム管溝３５の下側の内壁に固定に設置される熱気装置３７と連通し、前記第三スライドブロック２８の右側の端面に前記第三通り穴３４の右端の開口と連通し且つ前記ゴム管溝３５に挿入する第二ゴム管３８が固定され、前記第二ゴム管３８の下端が前記ゴム管溝３５の下側の内壁に固定に設置される回収筐体３９と連通し、前記第一凹形溝１２の左側に補充装置が設置され、
前記補充装置が前記第一凹形溝１２の左側の内壁に設置される且つ口が右向く且つ前記第三凹形溝２３と整列する第五凹形溝４０を含み、前記第五凹形溝４０に左右にスライドでき且つ左端が前記第一スライドブロック１５の下端と対合する第四スライドブロック４１が設置され、前記第五凹形溝４０の上下側の内壁に口が相対する第三リセット溝４２が対称で設置され、前記第四スライドブロック４１の上下端に前記第三リセット溝４２に挿入するリセット装置２７が固定され、前記第五凹形溝４０の上側の内壁に口が下向く第六凹形溝４３が設置され、前記第六凹形溝４３に上下にスライドでき且つ下端が前記第五凹形溝４０に挿入し且つ前記第四スライドブロック４１の左端と対合する第五スライドブロック４４が設置され、前記第六凹形溝４３の左右側の内壁に口が相対する第四リセット溝４５が対称で設置され、前記第五スライドブロック４４の左右端に前記第四リセット溝４５に挿入するリセット装置２７が対称で固定に接続し、前記第六凹形溝４３の上側に第一伝動筐体４６が連通し設置され、前記第一伝動筐体４６の上側の内壁の左側に第二伝動筐体４７が連通し設置され、前記第二伝動筐体４７の左側の内壁に第二電動機４８が固定に設置され、前記第二電動機４８の右端に他端が軸受を通じて前記第二伝動筐体４７の右端の内壁に回転し係合し接続される第二回転軸４９が動力で係合し接続され、前記第二回転軸４９に第一主動傘歯車５０が固定され、前記第五スライドブロック４４の上端に前記第一伝動筺体４６に挿入して前記第一主動傘歯車５０と噛合し係合し接続できる第一被動傘歯車５１が軸受を通じて回転し係合し接続され、前記第一伝動筺体４６の上側の内壁の右側に第三伝動筺体５２が連通して設置され、前記第三伝動筺体５２に前記第一被動傘歯車５１と噛合う第二主動傘歯車５４が第三回転軸５３を通じて回転し係合し接続され、前記第三伝動筺体５２の右側の内壁に第四伝動筺体５５が設置され、前記第三回転軸５３の右端が前記第四伝動筺体５５に挿入して軸受を通じて前記第四伝動筺体５５の右側の内壁に回転し係合し接続され、前記第四伝動筐体５５にある前記第三回転軸に第三傘歯車５６が固定され、前記第四伝動筐体５５の右側の内壁の上側に第五伝動筐体５７が連通し設置され、前記第五伝動筐体５７に前記第三傘歯車５６と噛合し係合し接続する第四傘歯車５８が設置され、前記第四傘歯車５８の軸心に上下端が軸受を通じて前記第五伝動筐体５７の上下側の内壁に回転し係合し接続される第四回転軸５９が固定され、前記作業空間１１の左側の内壁に口が右向く第一凹形筐体６０が設置され、前記第四回転軸５９の下端が前記第一凹形筐体６０に挿入して軸受を通じて前記第一凹形筐体６０の下側の内壁に回転し係合し接続され、前記第一凹形筐体６０にある前記第四回転軸５９に前記第一凹形筐体６０に上下にスライドできる補充ブロック６１が螺合し接続され、前記補充ブロック６１の下端に排液管６２が固定され、前記第二回転軸４９に第一主動平歯車６３が固定され、前記第一主動平歯車６３の上端に第一被動平歯車６４が噛合し係合し接続され、前記第一被動平歯車６４の軸心に左端が軸受を通じて前記第二伝動筐体４７の左側の内壁に回転し係合し接続される第五回転軸６５が固定され、前記作業空間１１の左側の内壁且つ前記第一凹形筐体６０の上側に口が右向く第七凹形溝６６が設置され、前記第五回転軸６５の右端が前記第七凹形溝６６に挿入し且つ空気ブロワー６７と固定され、
前記識別記憶装置が前記作業空間１１の下側の内壁に固定に設置される第三電動機６８を含み、前記第三電動機６８の上端に回転軸を通じて作業ブロック６９が動力で係合し接続され、前記作業空間１１の下側の内壁に口が上向くガイド溝７０が左右対称で設置され、前記作業ブロック６９の下端に前記ガイド溝７０に挿入して前記ガイド溝７０と滑合し接続されるガイドブロック７１が左右対称で固定され、前記作業ブロック６９に左右に貫く昇降穴７２が設置され、前記昇降穴７２の上側の内壁に第四電動機７３が固定に設置され、前記第四電動機７３の下端に下端が軸受を通じて前記昇降穴７２の下側の内壁に回転し係合し接続される昇降親ねじ７４が動力で係合し接続され、前記昇降親ねじ７４の上ねじ山に前記昇降穴７２に上下に移動する作業板７５が係合し接続し、前記作業板７５の下端の右側に血液収集識別装置７６が固定され、前記作業板７５の上端の右側にＤＮＡ情報記憶装置７７が固定され、前記作業板７５の下端の左側に人員情報識別装置７８が固定され、前記作業板７５の上端の左側に人員情報記憶装置７９が固定され、
前記運送装置が前記作業空間１１の下側の内壁の右側に設置される口が上向く運送溝８０を含み、前記運送溝８０に運送ベルト８１が設置され、前記運送ベルト８１に試験管固定ブロック８２が置かれ、前記試験管固定ブロック８２に開口が前記血液収集識別装置７６と整列する試験管８３が固定され、前記試験管８３の左端の中の上側に人員情報記録ブロック８４が固定に設置され、
前記固定装置が前記装置本体１０の左右両端に設置される対称で固定に接続する台座ブロック９０を含み、前記台座ブロック９０に上下に貫くボルト穴９１が設置されていることを特徴とする情報記憶装置。
【発明の詳細な説明】
【技術分野】
【０００１】
本発明は情報記憶分野を取り上げて、具体的には情報記憶装置である。
【背景技術】
【０００２】
生活において、ＤＮＡを通じて人々の情報を識別することがあり、もし人々のＤＮＡが記憶されてあれば、そのＤＮＡ情報を比較することによって身分情報を正しく識別できる。従来には人力で情報を識別し比較するため、自動的にＤＮＡを識別し人員の情報をそれぞれ対応的に記憶できれば、人力的な運営時間を節約し、人員情報の識別を必要とする仕事の効率を高める。したがって、情報記憶装置をデザインするのは実に必要である。
【先行技術文献】
【特許文献】
【０００３】
【特許文献１】中国特許出願公開第１０３５４４１２６号明細書
【発明の概要】
【発明が解決しようとする課題】
【０００４】
本発明は解決する必要な技術問題が情報記憶装置を提供し、それは上記の現在の技術中の問題を解決できる。
【０００５】
本発明は以下の技術プランを通じて実現する：本発明の情報記憶装置は、、装置本体、前記装置本体に設置される識別記憶装置、前記装置本体に設置される整理装置、前記装置本体に設置される運送装置及び前記装置本体の左右両側に設置される固定装置を含み、前記整理装置が前記装置本体の右端に設置される口が右向く作業空間を含み、前記作業空間の下側の内壁の左側に口が上向く第一凹形溝が設置され、前記第一凹形溝の下側の内壁に第一電動機が固定に設置され、前記第一電動機の上端に前記第一凹形溝に挿入する第一回転軸が動力で係合し接続され、前記第一凹形溝に上下にスライドできる第一スライドブロックが設置され、前記第一スライドブロックの下端に口が下向く第二凹形溝が設置され、前記第一スライドブロックの下端にねじ山ブロックが固定され、前記ねじ山ブロックに上下に貫いて前記第二凹形溝と整列する第一通り穴が設置され、前記第二凹形溝と前記第一通り穴の内壁と前記第一回転軸が螺合し接続され、前記第一凹形溝の開口に左右対称で固定ブロックが固定され、前記固定ブロックに第二通り穴が上下に貫いて設置され、前記第二通り穴の左右側の内壁に対称で開口が相対し且つ前記第一凹形溝と対合するガイドスライド溝が設置され、前記第一スライドブロックの上端には前記第二通り穴に上下にスライドできる消毒クリーン箱が固定され、前記消毒クリーン箱の下側の内壁の右側が前記第一スライドブロックの排出孔を上下に貫き出し、前記排出孔に電気制御絞り弁が固定に設置され、前記第一凹形溝の右側の内壁に口が左向く第三凹形溝が設置され、前記第三凹形溝の下側の内壁に口が上向く第四凹形溝が設置され、前記第三凹形溝に左右にスライドでき且つ左端が前記第一スライドブロックの下端と対合する第二スライドブロックが設置され、前記第三凹形溝の上下側の内壁に口が相対する第一リセット溝が対称で設置され、前記第二スライドブロックの上下端に前記第一リセット溝に挿入するリセット装置が固定され、前記第四溝に上下にスライドでき且つ上端が前記第三凹形溝に挿入し且つ前記第二スライドブロックの右端と対合する第三スライドブロックが設置され、前記第四凹形溝の左右側の内壁に口が相対する第二リセット溝が対称で設置され、前記第三スライドブロックの左右端に対称で前記第二リセット溝に挿入するリセット装置が固定され、前記第一凹形溝の下側に前記排出孔と整列する導管ブロックが固定され、前記導管ブロックの下側の内壁に右端が前記第四凹形溝を連通する運送導管が連通し設置され、前記第三スライドブロックに左右に貫通し且つ前記運送導管と整列して連通できる第二通り穴と第三通り穴が上下対称で設置され、前記第四凹形溝の右側の内壁に口が左向くゴム管溝が設置され、前記第二通り穴の右端に前記ゴム管溝に挿入する第一ゴム管が固定され、前記第一ゴム管の下端が前記ゴム管溝の下側の内壁に固定に設置される熱気装置と連通し、前記第三スライドブロックの右側の端面に前記第三通り穴の右端の開口と連通し且つ前記ゴム管溝に挿入する第二ゴム管が固定され、前記第二ゴム管の下端が前記ゴム管溝の下側の内壁に固定に設置される回収筐体と連通し、前記第一凹形溝の左側に補充装置が設置される。
【０００６】
更の技術プラントして、前記補充装置が前記第一凹形溝の左側の内壁に設置される且つ口が右向く且つ前記第三凹形溝と整列する第五凹形溝を含み、前記第五凹形溝に左右にスライドでき且つ左端が前記第一スライドブロックの下端と対合する第四スライドブロックが設置され、前記第五凹形溝の上下側の内壁に口が相対する第三リセット溝が対称で設置され、前記第四スライドブロックの上下端に前記第三リセット溝に挿入するリセット装置が固定され、前記第五凹形溝の上側の内壁に口が下向く第六凹形溝が設置され、前記第六凹形溝に上下にスライドでき且つ下端が前記第五凹形溝に挿入し且つ前記第四スライドブロックの左端と対合する第五スライドブロックが設置され、前記第六凹形溝の左右側の内壁に口が相対する第四リセット溝が対称で設置され、前記第五スライドブロックの左右端に前記第四リセット溝に挿入するリセット装置が対称で固定に接続し、前記第六凹形溝の上側に第一伝動筐体が連通し設置され、前記第一伝動筐体の上側の内壁の左側に第二伝動筐体が連通し設置され、前記第二伝動筐体の左側の内壁に第二電動機が固定に設置され、前記第二電動機の右端に他端が軸受を通じて前記第二伝動筐体の右端の内壁に回転し係合し接続される第二回転軸が動力で係合し接続され、前記第二回転軸に第一主動傘歯車が固定され、前記第五スライドブロックの上端に前記第一伝動筺体に挿入して前記第一主動傘歯車と噛合し係合し接続できる第一被動傘歯車が軸受を通じて回転し係合し接続され、前記第一伝動筺体の上側の内壁の右側に第三伝動筺体が連通して設置され、前記第三伝動筺体に前記第一被動傘歯車と噛合う第二主動傘歯車が第三回転軸を通じて回転し係合し接続され、前記第三伝動筺体の右側の内壁に第四伝動筺体が設置され、前記第三回転軸の右端が前記第四伝動筺体に挿入して軸受を通じて前記第四伝動筺体の右側の内壁に回転し係合し接続され、前記第四伝動筐体にある前記第三回転軸に第三傘歯車が固定され、前記第四伝動筐体の右側の内壁の上側に第五伝動筐体が連通し設置され、前記第五伝動筐体に前記第三傘歯車と噛合し係合し接続する第四傘歯車が設置され、前記第四傘歯車の軸心に上下端が軸受を通じて前記第五伝動筐体の上下側の内壁に回転し係合し接続される第四回転軸が固定され、前記作業空間の左側の内壁に口が右向く第一凹形筐体が設置され、前記第四回転軸の下端が前記第一凹形筐体に挿入して軸受を通じて前記第一凹形筐体の下側の内壁に回転し係合し接続され、前記第一凹形筐体にある前記第四回転軸に前記第一凹形筐体に上下にスライドできる補充ブロックが螺合し接続され、前記補充ブロックの下端に排液管が固定され、前記第二回転軸に第一主動平歯車が固定され、前記第一主動平歯車の上端に第一被動平歯車が噛合し係合し接続され、前記第一被動平歯車の軸心に左端が軸受を通じて前記第二伝動筐体の左側の内壁に回転し係合し接続される第五回転軸が固定され、前記作業空間の左側の内壁且つ前記第一凹形筐体の上側に口が右向く第七凹形溝が設置され、前記第五回転軸の右端が前記第七凹形溝に挿入し且つ空気ブロワーと固定される。
【０００７】
更の技術プラントして、前記識別記憶装置が前記作業空間の下側の内壁に固定に設置される第三電動機を含み、前記第三電動機の上端に回転軸を通じて作業ブロックが動力で係合し接続され、前記作業空間の下側の内壁に口が上向くガイド溝が左右対称で設置され、前記作業ブロックの下端に前記ガイド溝に挿入して前記ガイド溝と滑合し接続されるガイドブロックが左右対称で固定され、前記作業ブロックに左右に貫く昇降穴が設置され、前記昇降穴の上側の内壁に第四電動機が固定に設置され、前記第四電動機の下端に下端が軸受を通じて前記昇降穴の下側の内壁に回転し係合し接続される昇降親ねじが動力で係合し接続され、前記昇降親ねじの上ねじ山に前記昇降穴に上下に移動する作業板が係合し接続し、前記作業板の下端の右側に血液収集識別装置が固定され、前記作業板の上端の右側にＤＮＡ情報記憶装置が固定され、前記作業板の下端の左側に人員情報識別装置が固定され、前記作業板の上端の左側に人員情報記憶装置が固定される。
【０００８】
更の技術プラントして、前記運送装置が前記作業空間の下側の内壁の右側に設置される口が上向く運送溝を含み、前記運送溝に運送ベルトが設置され、前記運送ベルトに試験管固定ブロックが置かれ、前記試験管固定ブロックに開口が前記血液収集識別装置と整列する試験管が固定され、前記試験管の左端の中の上側に人員情報記録ブロックが固定に設置される。
【０００９】
更の技術プラントして、前記固定装置が前記装置本体の左右両端に設置される対称で固定に接続する台座ブロックを含み、前記台座ブロックに上下に貫くボルト穴が設置され、前記ボルト穴と地面の間がボルトを通じて係合接続され、これにより装置の安定性を増やす。
【発明の効果】
【００１０】
本発明の有益効果は：本発明の全体構造が簡単で、操作が便利で、本装置により情報記憶作業を行う時に、使用人員が抽出された血液を試験管に入れ、運送装置が起動して血液を血液識別装置の真下まで運送し、第四電動機が起動して昇降親ねじを駆動して回転させて作業板を降下させ、血液収集識別装置を駆動して降下させて試験管に挿入して血液収集識別を行い、ＤＮＡ情報記憶装置に情報が記録する時に第四電動機を回転させて血液収集識別装置を上へ移動して駆動し、この時第三電動機が起動して作業ブロックを駆動して回転させて血液収集識別装置を左側へ回し、同時に人員情報識別装置が右側へ回して試験管と整列し、第四電動機の回転が血液収集識別装置と人員情報識別装置を駆動して降下させ、人員情報識別装置が人員情報記録ブロックに人員情報識別を行い、人員情報記憶装置が人員情報記憶を行い、同時に血液収集識別装置が消毒クリーン箱に挿入して洗浄と消毒を行い、しばらくの間に第四電動機の回転が血液収集識別装置と人員情報識別装置を駆動して最高の位置に上昇させ、第一電動機が起動して第一回転軸を駆動して回転させて第一スライドブロックを最低の位置に降下させ、同時に第二スライドブロックと第四スライドブロックが押し動かれ、導管ブロックが排出穴に挿入し、第二スライドブロックが第三スライドブロックを押し動かして下へ移動させて第三通り穴を運送導管に合わせ、電気制御絞り弁が起動して消毒液を回収筐体に注ぎ込み、第四スライドブロックが第五スライドブロックを押し動かして上へ移動させて第一被動傘歯車と第一主動傘歯車及び第二主動傘歯車を駆動して噛合わせ、第二電動機が起動して第二回転軸を駆動して回転させ、第一主動傘歯車を駆動して回転させて第三回転軸を回転させ、第三傘歯車の回転が第四傘歯車を駆動して回転させて第四回転軸を回転させ、したがって補充ブロックを駆動して下へ移動させて排液管を消毒クリーン箱に合わせ、しばらくの間に電気制御絞り弁が閉じて排液管が起動して消毒液補充を行い、同時に第一被動平歯車の回転が第五回転軸を駆動して回転させて空気ブロワーを回転させて血液収集識別装置の外部の液体を快速に乾かして揮発させ、その後補充ブロックを初期状態に戻らせ、第一電動機が起動して消毒クリーン箱を駆動して初期位置に上昇させ、同時に第二通り穴が運送導管を連通し且つ熱気装置が起動して内部に加熱し、これにより導管内の液体と血液の残留を避け、第三電動機が起動して血液収集識別装置を右側へ向かせて次の試験管が情報を記憶することが待ち、本装置がＤＮＡ識別と人員情報対応の記憶が自動化で行い、個人情報がもっと完善になり、人員の営業時間を減らし、ある識別人員情報で作業の所の効率を促進する。
【図面の簡単な説明】
【００１１】
説明しやすいため、本発明は以下の具体的な実施例と付図を交え詳しく説明する。
【００１２】
【図１】は本発明の情報記憶装置の内部構造概略図である；
【図２】は図１「Ａ」の拡大概略図である。
【発明を実施するための形態】
【００１３】
図１〜図２が示すように、本発明の情報記憶装置は、装置本体１０、前記装置本体１０に設置される識別記憶装置、前記装置本体１０に設置される整理装置、前記装置本体１０に設置される運送装置及び前記装置本体１０の左右両側に設置される固定装置を含み、前記整理装置が前記装置本体１０の右端に設置される口が右向く作業空間１１を含み、前記作業空間１１の下側の内壁の左側に口が上向く第一凹形溝１２が設置され、前記第一凹形溝１２の下側の内壁に第一電動機１３が固定に設置され、前記第一電動機１３の上端に前記第一凹形溝１２に挿入する第一回転軸１４が動力で係合し接続され、前記第一凹形溝１２に上下にスライドできる第一スライドブロック１５が設置され、前記第一スライドブロック１５の下端に口が下向く第二凹形溝１６が設置され、前記第一スライドブロック１５の下端にねじ山ブロック１７が固定され、前記ねじ山ブロック１７に上下に貫いて前記第二凹形溝１６と整列する第一通り穴１８が設置され、前記第二凹形溝１６と前記第一通り穴１８の内壁と前記第一回転軸１４が螺合し接続され、前記第一凹形溝１２の開口に左右対称で固定ブロック１９が固定され、前記固定ブロック１９に第二通り穴２０が上下に貫いて設置され、前記第二通り穴２０の左右側の内壁に対称で開口が相対し且つ前記第一凹形溝１２と対合するガイドスライド溝２１が設置され、前記第一スライドブロック１５の上端には前記第二通り穴２０に上下にスライドできる消毒クリーン箱２２が固定され、前記消毒クリーン箱２２の下側の内壁の右側が前記第一スライドブロック１５の排出孔３０を上下に貫き出し、前記排出孔３０に電気制御絞り弁８５が固定に設置され、前記第一凹形溝１２の右側の内壁に口が左向く第三凹形溝２３が設置され、前記第三凹形溝２３の下側の内壁に口が上向く第四凹形溝２４が設置され、前記第三凹形溝２３に左右にスライドでき且つ左端が前記第一スライドブロック１５の下端と対合する第二スライドブロック２５が設置され、前記第三凹形溝２３の上下側の内壁に口が相対する第一リセット溝２６が対称で設置され、前記第二スライドブロック２５の上下端に前記第一リセット溝２６に挿入するリセット装置２７が固定され、前記第四溝２４に上下にスライドでき且つ上端が前記第三凹形溝２３に挿入し且つ前記第二スライドブロック２５の右端と対合する第三スライドブロック２８が設置され、前記第四凹形溝２４の左右側の内壁に口が相対する第二リセット溝２９が対称で設置され、前記第三スライドブロック２８の左右端に対称で前記第二リセット溝２９に挿入するリセット装置２７が固定され、前記第一凹形溝１２の下側に前記排出孔３０と整列する導管ブロック３１が固定され、前記導管ブロック３１の下側の内壁に右端が前記第四凹形溝２４を連通する運送導管３２が連通し設置され、前記第三スライドブロック２８に左右に貫通し且つ前記運送導管３２と整列して連通できる第二通り穴３３と第三通り穴３４が上下対称で設置され、前記第四凹形溝２４の右側の内壁に口が左向くゴム管溝３５が設置され、前記第二通り穴３３の右端に前記ゴム管溝３５に挿入する第一ゴム管３６が固定され、前記第一ゴム管３６の下端が前記ゴム管溝３５の下側の内壁に固定に設置される熱気装置３７と連通し、前記第三スライドブロック２８の右側の端面に前記第三通り穴３４の右端の開口と連通し且つ前記ゴム管溝３５に挿入する第二ゴム管３８が固定され、前記第二ゴム管３８の下端が前記ゴム管溝３５の下側の内壁に固定に設置される回収筐体３９と連通し、前記第一凹形溝１２の左側に補充装置が設置される。
【００１４】
有益的には、前記補充装置が前記第一凹形溝１２の左側の内壁に設置される且つ口が右向く且つ前記第三凹形溝２３と整列する第五凹形溝４０を含み、前記第五凹形溝４０に左右にスライドでき且つ左端が前記第一スライドブロック１５の下端と対合する第四スライドブロック４１が設置され、前記第五凹形溝４０の上下側の内壁に口が相対する第三リセット溝４２が対称で設置され、前記第四スライドブロック４１の上下端に前記第三リセット溝４２に挿入するリセット装置２７が固定され、前記第五凹形溝４０の上側の内壁に口が下向く第六凹形溝４３が設置され、前記第六凹形溝４３に上下にスライドでき且つ下端が前記第五凹形溝４０に挿入し且つ前記第四スライドブロック４１の左端と対合する第五スライドブロック４４が設置され、前記第六凹形溝４３の左右側の内壁に口が相対する第四リセット溝４５が対称で設置され、前記第五スライドブロック４４の左右端に前記第四リセット溝４５に挿入するリセット装置２７が対称で固定に接続し、前記第六凹形溝４３の上側に第一伝動筐体４６が連通し設置され、前記第一伝動筐体４６の上側の内壁の左側に第二伝動筐体４７が連通し設置され、前記第二伝動筐体４７の左側の内壁に第二電動機４８が固定に設置され、前記第二電動機４８の右端に他端が軸受を通じて前記第二伝動筐体４７の右端の内壁に回転し係合し接続される第二回転軸４９が動力で係合し接続され、前記第二回転軸４９に第一主動傘歯車５０が固定され、前記第五スライドブロック４４の上端に前記第一伝動筺体４６に挿入して前記第一主動傘歯車５０と噛合し係合し接続できる第一被動傘歯車５１が軸受を通じて回転し係合し接続され、前記第一伝動筺体４６の上側の内壁の右側に第三伝動筺体５２が連通して設置され、前記第三伝動筺体５２に前記第一被動傘歯車５１と噛合う第二主動傘歯車５４が第三回転軸５３を通じて回転し係合し接続され、前記第三伝動筺体５２の右側の内壁に第四伝動筺体５５が設置され、前記第三回転軸５３の右端が前記第四伝動筺体５５に挿入して軸受を通じて前記第四伝動筺体５５の右側の内壁に回転し係合し接続され、前記第四伝動筐体５５にある前記第三回転軸に第三傘歯車５６が固定され、前記第四伝動筐体５５の右側の内壁の上側に第五伝動筐体５７が連通し設置され、前記第五伝動筐体５７に前記第三傘歯車５６と噛合し係合し接続する第四傘歯車５８が設置され、前記第四傘歯車５８の軸心に上下端が軸受を通じて前記第五伝動筐体５７の上下側の内壁に回転し係合し接続される第四回転軸５９が固定され、前記作業空間１１の左側の内壁に口が右向く第一凹形筐体６０が設置され、前記第四回転軸５９の下端が前記第一凹形筐体６０に挿入して軸受を通じて前記第一凹形筐体６０の下側の内壁に回転し係合し接続され、前記第一凹形筐体６０にある前記第四回転軸５９に前記第一凹形筐体６０に上下にスライドできる補充ブロック６１が螺合し接続され、前記補充ブロック６１の下端に排液管６２が固定され、前記第二回転軸４９に第一主動平歯車６３が固定され、前記第一主動平歯車６３の上端に第一被動平歯車６４が噛合し係合し接続され、前記第一被動平歯車６４の軸心に左端が軸受を通じて前記第二伝動筐体４７の左側の内壁に回転し係合し接続される第五回転軸６５が固定され、前記作業空間１１の左側の内壁且つ前記第一凹形筐体６０の上側に口が右向く第七凹形溝６６が設置され、前記第五回転軸６５の右端が前記第七凹形溝６６に挿入し且つ空気ブロワー６７と固定される。
【００１５】
有益的には、前記識別記憶装置が前記作業空間１１の下側の内壁に固定に設置される第三電動機６８を含み、前記第三電動機６８の上端に回転軸を通じて作業ブロック６９が動力で係合し接続され、前記作業空間１１の下側の内壁に口が上向くガイド溝７０が左右対称で設置され、前記作業ブロック６９の下端に前記ガイド溝７０に挿入して前記ガイド溝７０と滑合し接続されるガイドブロック７１が左右対称で固定され、前記作業ブロック６９に左右に貫く昇降穴７２が設置され、前記昇降穴７２の上側の内壁に第四電動機７３が固定に設置され、前記第四電動機７３の下端に下端が軸受を通じて前記昇降穴７２の下側の内壁に回転し係合し接続される昇降親ねじ７４が動力で係合し接続され、前記昇降親ねじ７４の上ねじ山に前記昇降穴７２に上下に移動する作業板７５が係合し接続し、前記作業板７５の下端の右側に血液収集識別装置７６が固定され、前記作業板７５の上端の右側にＤＮＡ情報記憶装置７７が固定され、前記作業板７５の下端の左側に人員情報識別装置７８が固定され、前記作業板７５の上端の左側に人員情報記憶装置７９が固定される。
【００１６】
有益的には、前記運送装置が前記作業空間１１の下側の内壁の右側に設置される口が上向く運送溝８０を含み、前記運送溝８０に運送ベルト８１が設置され、前記運送ベルト８１に試験管固定ブロック８２が置かれ、前記試験管固定ブロック８２に開口が前記血液収集識別装置７６と整列する試験管８３が固定され、前記試験管８３の左端の中の上側に人員情報記録ブロック８４が固定に設置される。
【００１７】
有益的には、前記固定装置が前記装置本体１０の左右両端に設置される対称で固定に接続する台座ブロック９０を含み、前記台座ブロック９０に上下に貫くボルト穴９１が設置され、前記ボルト穴９１と地面の間がボルトを通じて係合接続され、これにより装置の安定性を増やす。
【００１８】
本装置により情報記憶作業を行う時に、使用人員が抽出された血液を試験管８３に入れ、運送装置が起動して血液を血液識別装置７６の真下まで運送し、第四電動機７３が起動して昇降親ねじ７４を駆動して回転させて作業板７５を降下させ、血液収集識別装置７６を駆動して降下させて試験管８３に挿入させて血液収集識別を行い、ＤＮＡ情報記憶装置７７に情報が記録されてある時に第四電動機７３を回転させて血液収集識別装置７６を上へ移動して駆動し、この時第三電動機６８が起動して作業ブロック６９を駆動して回転させて血液収集識別装置７６を左側へ回し、同時に人員情報識別装置７８が右側へ回して試験管８３と整列し、第四電動機７３の回転が血液収集識別装置７６と人員情報識別装置７８を駆動して降下させ、人員情報識別装置７８が人員情報記録ブロック８４に人員情報識別を行い、人員情報記憶装置７９が人員情報記憶を行い、同時に血液収集識別装置７６が消毒クリーン箱２２に挿入して洗浄と消毒を行い、しばらくの間に第四電動機７３の回転が血液収集識別装置７６と人員情報識別装置７８を駆動して最高の位置に上昇させ、第一電動機１３が起動して第一回転軸１４を駆動して回転させて第一スライドブロック１５を最低の位置に降下させ、同時に第二スライドブロック２５と第四スライドブロック４１が押し動かれ、導管ブロック３１が排出穴３０に挿入し、第二スライドブロック２５が第三スライドブロック２８を押し動かして下へ移動させて第三通り穴３４を運送導管３２に合わせ、電気制御絞り弁８５が起動して消毒液を回収筐体３９に注ぎ込み、第四スライドブロック４１が第五スライドブロック４４を押し動かして上へ移動させて第一被動傘歯車５１と第一主動傘歯車５０及び第二主動傘歯車５４を駆動して噛合わせ、第二電動機４８が起動して第二回転軸４９を駆動して回転させ、第一主動傘歯車５０を駆動して回転させて第三回転軸５３を回転させ、第三傘歯車５６の回転が第四傘歯車５８を駆動して回転させて第四回転軸５９を回転させ、したがって補充ブロック６１を駆動して下へ移動させて排液管６２を消毒クリーン箱２２に合わせ、しばらくの間に電気制御絞り弁８５が閉じて排液管６２が起動して消毒液補充を行い、同時に第一被動平歯車６４の回転が第五回転軸６５を駆動して回転させて空気ブロワー６７を回転させて血液収集識別装置７６の外部の液体を快速に乾かして揮発させ、その後補充ブロック６１を初期状態に戻らせ、第一電動機１３が起動して消毒クリーン箱２２を駆動して初期位置に上昇させ、同時に第二通り穴３３が運送導管３２を連通し且つ熱気装置３７が起動して内部に加熱し、これにより導管内の液体と血液の残留を避け、第三電動機６８が起動して血液収集識別装置７６を右側へ向かせて次の試験管８３が情報を記憶することを待つ。
【００１９】
本発明の有益効果は：本発明の全体構造が簡単で、操作が便利で、本装置により情報記憶作業を行う時に、使用人員が抽出された血液を試験管に入れ、運送装置が起動して血液を血液識別装置の真下まで運送し、第四電動機が起動して昇降親ねじを駆動して回転させて作業板を降下させ、血液収集識別装置を駆動して降下させて試験管に挿入して血液収集識別を行い、ＤＮＡ情報記憶装置に情報が記録する時に第四電動機を回転させて血液収集識別装置を上へ移動して駆動し、この時第三電動機が起動して作業ブロックを駆動して回転させて血液収集識別装置を左側へ回し、同時に人員情報識別装置が右側へ回して試験管と整列し、第四電動機の回転が血液収集識別装置と人員情報識別装置を駆動して降下させ、人員情報識別装置が人員情報記録ブロックに人員情報識別を行い、人員情報記憶装置が人員情報記憶を行い、同時に血液収集識別装置が消毒クリーン箱に挿入して洗浄と消毒を行い、しばらくの間に第四電動機の回転が血液収集識別装置と人員情報識別装置を駆動して最高の位置に上昇させ、第一電動機が起動して第一回転軸を駆動して回転させて第一スライドブロックを最低の位置に降下させ、同時に第二スライドブロックと第四スライドブロックが押し動かれ、導管ブロックが排出穴に挿入し、第二スライドブロックが第三スライドブロックを押し動かして下へ移動させて第三通り穴を運送導管に合わせ、電気制御絞り弁が起動して消毒液を回収筐体に注ぎ込み、第四スライドブロックが第五スライドブロックを押し動かして上へ移動させて第一被動傘歯車と第一主動傘歯車及び第二主動傘歯車を駆動して噛合わせ、第二電動機が起動して第二回転軸を駆動して回転させ、第一主動傘歯車を駆動して回転させて第三回転軸を回転させ、第三傘歯車の回転が第四傘歯車を駆動して回転させて第四回転軸を回転させ、したがって補充ブロックを駆動して下へ移動させて排液管を消毒クリーン箱に合わせ、しばらくの間に電気制御絞り弁が閉じて排液管が起動して消毒液補充を行い、同時に第一被動平歯車の回転が第五回転軸を駆動して回転させて空気ブロワーを回転させて血液収集識別装置の外部の液体を快速に乾かして揮発させ、その後補充ブロックを初期状態に戻らせ、第一電動機が起動して消毒クリーン箱を駆動して初期位置に上昇させ、同時に第二通り穴が運送導管を連通し且つ熱気装置が起動して内部に加熱し、これにより導管内の液体と血液の残留を避け、第三電動機が起動して血液収集識別装置を右側へ向かせて次の試験管が情報を記憶することが待ち、本装置がＤＮＡ識別と人員情報対応の記憶が自動化で行い、個人情報がもっと完善になり、人員の営業時間を減らし、ある識別人員情報で作業の所の効率を促進する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
0006714793.tif 000002
【図２】
0006714793.tif 000003